(57)【要約】      （修正有）【課題】取扱いが容易な、２つのハウジングを連結する差込継ぎ手を提供する。【解決手段】第１のハウジング部材と第２のハウジング部材を有するハウジング、特にフィルタハウジング、主として空気フィルタハウジングに関し、第１のハウジング部材と第２のハウジング部材は相対的回転捩じりにより着脱可能に連結でき、両ハウジングには互いに対応するロック手段が設けられ、ハウジング間の連結を保持するための複数の第１のロック手段とハウジング間の連結を解除する際の回転モーメントを規定する第１のロック手段と連結する際の回転モーメントを規定する手段である複数の第２のロック手段を有する。【選択図】図１
2006153010.tif 000002
【特許請求の範囲】
【請求項１】
第１のハウジング部材と第２のハウジング部材を有し、第１のハウジング部材と第２のハウジング部材は互いに相対回転して取り外すことができるように連結され、両ハウジング部材にはそれぞれ互いに対応するロック部材が設けられたハウジング、特にフィルタハウジング、主として空気フィルタハウジングにおいて、両ハウジング間の連結を保持するための複数の第１のロック手段有し、両ハウジングの連結を解除する際の回転モーメントと連結する際の回転モーメントを決める第２のロック手段を有することを特徴とするハウジング。
【請求項２】
前記両ハウジングは型による成形法により製作されものであることを特徴とする請求項１記載のハウジング。
【請求項３】
前記複数の第１のロック部材は、それぞれが共に回転捩り方向に平行に形成されて軸方向保持力を保持し軸方向遊びを決める支持平面および回転捩り方向に直角に形成されて半径方向遊びを決める支持平面を有することを特徴とする請求項１記載のハウジング。
【請求項４】
前記複数の第２のストッパー部材は一方においてそれぞれ共に対応する回転捩り方向に平行に形成された支持平面を有するとともに他方において該支持平面と鋭角をなす回転モーメント規定平面とを有して、該回転モーメント規定平面の角度を選定することにより連結する際のモーメントに関係なく連結を解除する際のモーメントを設定することができることを特徴とする前記請求項のいずれか１項に記載のハウジング。
【請求項５】
前記第１のハウジング部材に設けられたロック手段は該ハウジング部材の開口側に向う側に該開口側方向に向う丸頭部を有し、該丸頭部から丸頭部の両側に第１のハウジングの他端側に向って当接平面が下降していて、両ハウジング部材を連結する際に第２のハウジング部材のロック手段が第１のハウジング部材の前記丸頭部にぶつかった場合、第２のハウジング部材の円丘状部或は衝突面が前記丸頭部を滑って進み連結が可能となることを特徴とする前記請求項のいずれか１項に記載のハウジング。
【請求項６】
前記第１のハウジング部材は、それが第２のハウジング部材と連結される領域に少なくとも二つの同形に形成された第１のロック手段を有し、該第１のロック手段が第２のハウジング部材のロック手段と係合することを特徴とする請求項１記載のハウジングの第１のハウジング部材。
【請求項７】
前記同じ形状に形成された第１のロック手段は、第１のハウジング部材の開口とは反対側に向いた作用面を備えた捩じり回転方向に実質的に平行な平面を有し、該平行平面の両端には該平面に実質的に直角方向に第１のハウジング部材の開口部に向って延びて前記平行面と内側に開いたU字形を形成する二つの面を前記第１のロック手段と一体に形成したことを特徴とする請求項６記載の第１のハウジング部材。
【請求項８】
前記第２のハウジング部材は、その第１のハウジング部材への連結部に少なくとも二つの異なる形状の第２のロック手段を有し、そのうち一方の第２のロック手段は第１のハウジング部材の第１のロック手段との連結において保持機能を担い、他方の第２のロック手段は第１のハウジング部材の第１のロック手段との連結において連結解除および連結の際の回転モーメントを規定する機能を担うことを特徴とする請求項１記載のハウジングの第２のハウジング部材。
【請求項９】
前記第２のハウジング部材のロック手段の第１の形状のものは、捩じり回転方向に平行で該ハウジング部材の開口側と反対側に向いて軸方向の保持力を受け軸方向の遊びを規定する作用面を有する平面と、該平面に直角でその自由端がハウジング開口部の方に向き半径方向の遊びを規定し連結の際に当接端面となる作用面を有する平面とを有することを特徴とする請求項８記載の第２のハウジング部材。
【請求項１０】
前記第２のハウジング部材の第２の形状のロック手段は、捩じり回転方向に対して鋭角をなして丸みを付けた頂部から延びる回転モーメント規定平面を有し、該規定平面の作用面は前記第２のハウジング部材の開口とは反対側にあるように形成され、捩じり方向に平行な平面に対する前記角度を選定することにより、連結解除の際の回転モーメントを連結する際の回転モーメントに関係なく設定することができることを特徴とする請求項８乃至９のいずれか１項に記載の第２のハウジング部材。
【請求項１１】
前記第２のハウジング部材に設けられた両ロック手段は、ハウジング部材開口側に向いた側に該開口側に向いた円丘状部を有して該円丘状部から両側に衝突面が第２のハウジング部材の両端側に向って傾斜しており、両ハウジング部材を連結する際に第１のハウジング部材は、そのロック手段が第２のハウジング部材のロック手段にぶつかった場合には第２のハウジングのロック手段の円丘状部或は衝突面を連結が可能となるように滑り降りることを特徴とする前記請求項８乃至１０のいずれか１項に記載のハウジング。
【発明の詳細な説明】
【技術分野】
【０００１】
本発明はハウジングに関し、特に特許請求の範囲１の上位概念によるにフィルタハウジング、主として空気フィルタハウジングに関する。
【背景技術】
【０００２】
現状技術では差込み継ぎ手を備えた中空シリンダ状の空気フィルタハウジングが知られている。そのような差込み継ぎ手は、一方のハウジング部材にロック爪受が、他方のハウジングにロック爪が設けられているのが通常である。両ハウジング部材を連結するために、前記各ロック爪と各ロック爪受がそれぞれ対をなすように設けられる。ハウジングの大きさ、直径に応じて２組から８組の互いに対応するロック手段が設けられる。これらのロック手段はハウジングの形状によって半径方向に相前後して或は重なるように配設される。ハウジング内には通常円筒状で半径方向通過式のフィルタエレメント、あるいは円筒状で軸方向通過式のフィルタエレメントが装着される。整備の際にはフィルタエレメントを交換する必要が生じ、その際ハウジングはエレメント交換が問題なく行なえるよう分割可能に構成されなければならない。上記した差込み継ぎ手はこの分割を工具無しに容易に行なえるようにするものである。
【０００３】
WO99/14483A1には中空シリンダ状の空気フィルタハウジング部材を連結する幾つかの形態の差込み継ぎ手が開示されている。それらは、中空シリンダ状の蓋部材が差込み継ぎ手を介して中空シリンダ状の下側ハウジングに連結されるように構成されている。前記蓋部材にはシリンダ状の連結開口部の外筒内周面にロック部材が設けられている。これに対し下側のハウジング部材にはシリンダ状の連結開口部の外筒外周面に対応するロック部材が設けられている。一実施例では、L字形のロック爪受けが設けられていて、一辺は連結する際の回転方向に平行に延び、他の辺はそれに対して直角方向に延びている。該ロック爪受けに対応する他方のハウジングに設けられたロック爪はU字状に形成されている。他の実施形態ではロック爪受けはP字状に形成され、それに対応するロック爪はバナナ状をなしている。ロック爪受けの連結或は連結を解除する際の回転方向に対して直角に形成された部分は、L字状およびP字状のロック爪受け場合も共にロック爪の当接部となる。両実施形態において、これらは一対として用いられる。それぞれのロック手段の対は、連結および連結解除の際の回転モーメントと保持力を規定する機能と、連結状態での半径方向および軸方向の遊びを規定する機能を果たす。
【０００４】
この場合、例えば低コスト、取扱い容易、組付け性が良い等の明らかな有利さはあるが、そのほかに幾つかの欠点がある。特に調整性については現状技術で知られているものでは問題がある。上記した差込み継ぎ手では、調整パラメータはロック手段に関連付けられているので、一つの機能パラメータを変えると他の機能パラメータも同時に変わることになる。ここに言う機能とは、連結する際の回転モーメント、連結を解除する際の回転モーメント、軸方向の保持力、半径方向の保持力、軸方向の遊び、および半径方向の遊びである。一つの機能パラメータを変えると他の一つ或は幾つかの機能パラメータが同時に変わるという欠点は、パラメータを任意に組合せることが不可能であり常に妥協点を見出さなければならないために、調整を非常に困難にする。
【特許文献１】ＷＯ９９／１４４８３  Ａ１
【発明の開示】
【発明が解決しようとする課題】
【０００５】
本発明の課題は、したがって、調整が容易であるとともに取扱いが容易で、できるだけ簡単な、二つのハウジングを連結する差込み継ぎ手を提供することである。
【課題を解決するための手段】
【０００６】
この課題は、特許請求項１に記載の特徴によって解決される。
【０００７】
本発明は、少なくとも二つの中空シリンダ状ハウジングを有するハウジング、特にフィルタハウジング、主として空気フィルタハウジングに関する。第１のハウジング部材と第２のハウジング部材にそれぞれ互いに対応するロック手段が設けられていて、ハウジングを相対的に捩じり回転することにより両ハウジング部材を取り外し可能に連結することができる。複数のロック手段が両シリンダ状ハウジング部材の連結部における第１のハウジング部材の外周域に設けられ、これらに対応する他の複数のロック手段が両シリンダ状ハウジング部材の連結部における第２のハウジング部材の内周域に設けられている。両ハウジング部材を互いに連結する際に第２のハウジング部材が一定の軸方向長さに亘って第１のハウジング部材に押し込まれるように、第１のハウジング部材の連結部は第２のハウジング部材の連結部よりも若干縮小した直径としてある。そして第１のハウジング部材には第２のハウジング部材を軸方向に受け止めるストッパー部が形成され、両ハウジング部材が当接し、続いて相対的に捩じることによって両ハウジング部材が前記ロック手段を介して取外し可能に連結されるようにしてある。該ストッパー部は互いに対応するロック手段のための受け部となる。本発明においては、両ハウジング部材間の連結を保持するための複数の第１のロック手段と連結を解除する際の回転モーメントを規定するためと連結する際の回転モーメントを規定するため複数の第２のロック手段とが設けられる。そして好ましくは、連結保持用のロック手段は軸方向の保持力と軸方向の遊び及び半径方向の遊びを決め、回転モーメント規定用のロック手段は連結を解除する際および連結する際に必要なモーメントならびに半径方向の保持力を決めるように形成する。ロック手段の数は、ハウジングの直径の大きさに応じて、必要な保持力および回転モーメントが得られるように決められ、また材料に適合するように決められる。このように異なる機能を二つの異なる形状のロック手段に分割することにより、従来知られている差込み継ぎ手に比べて非常に適合性のよいシステムとなる。本発明によれば、次の各機能は個々に調整が可能である。
−連結の際の回転モーメント
−連結解除の際の回転モーメント
−軸方向の保持力
−半径方向の保持力
−軸方向の遊び
−半径方向の遊び
【０００８】
このような適合性に優れたシステムの可能性にも拘らず、製作は容易であり、全体システムの操作性及び堅牢性が低下することもない。これは両ハウジングの連結域の一方は外周に他方は内周に互いに対応するロック爪とロック爪受けの少なくとも２対の異なる組を設けることによって達成される。
【０００９】
本発明の有利な実施形態によれば、ハウジングは型による成形法、特に射出成形法により製作される。これにより、差込み継ぎ手は好都合に製作できる。該継ぎ手は反割り型内に形成される。
【００１０】
第１の複数のロック手段は、それぞれが共に捩じり回転方向に平行（即ち、軸直角断面に平行）に設けられて軸方向の保持力を担うとともに軸方向の遊びを規定する保持平面を有することが有利である。さらに、該第１のロック手段は半径方向の遊び規定するために捩じり回転方向に対して直角な保持平面を有する。捩じり回転方向に平行に設けられた保持平面の有効長さは最大保持力に応じて決められる。最大保持力が大きいほど該平行に設けられた平面の有効長さは長くなければならない。第１のハウジング部材のロック手段および第２のハウジング部材のロック手段は互いに対応するように形成された平行平面を有し、ハウジング部材のストッパー部は当接受け部として作用する。半径方向遊びは捩じり回転方向に対して直角な保持平面を介して決めることができる。連結時には、一方のハウジング部材のロック手段は他方のハウジング部材のロック手段の直角方向の保持平面によって位置が決められる。
【００１１】
本発明の有利な実施形態によれば、第２の複数のロック手段は一方においてそれぞれ共に対応する捩じり回転方向に平行に設けられた平面を有するとともに他方において該平面に対して鋭角をなす回転モーメント規定平面を有する。これらの回転モーメント規定面のッそれぞれの角度を選定することにより、連結解除の際の回転モーメントと連結の際の回転モーメントとをそれぞれ無関係に決めることができる。両回転モーメント規定面の傾きを変えることにより、連結解除或は連結の際の回転モーメントを大きく或は小さく設定することができる。
【００１２】
さらに、第１のハウジング部材に設けられたロック手段は該ハウジング部材の開口側に向う側に該開口側の方向に向う丸頭部を有するのが好ましい。該丸頭部から丸頭部の両側に第１のハウジングの他の端側に向って当接平面が下降している。これは次のような意味を有する。即ち、両ハウジング部材を連結する際に第２のハウジング部材のロック手段が第１のハウジング部材の前記丸頭部にぶつかった場合、第２のハウジング部材の円丘状部或は衝突面が前記丸頭部を滑って進み連結が可能となることである。このことは、両ハウジング部材のロック手段が互いに接触しないで通り過ぎてから両ハウジング部材を相対的に捩じることにより両ロック手段を噛合わせるか、あるいは最初は両ロック手段が互いに突き当たり、第２のロック手段の円丘状部或は衝突面が前記丸頭部を滑って進み、両ハウジング部材を相対的捩じることにより両ハウジング部材を簡単容易に連結できる位置まで進むという利点を有する。
【００１３】
上の述べたハウジングに必要な第１のハウジング部材は、それが第２のハウジング部材と連結される領域に少なくとも二つの同形に形成された第１のロック手段を有し、該第１のロック手段が第２のハウジング部材のロック手段と係合するようにしてある。前記第１のハウジング部材に設けられたロック手段は、好ましくは該第１のハウジング部材の連結部外周に均等に設けられ、それらの形状は全て同じである。したがって、ハウジングの大きさが異なる場合に、第１のハウジング部材を両ハウジング部材のうちの大きいハウジング部材に形成することが可能となる。ハウジング部材の連結に関して、例えば回転モーメントや遊び等、ハウジング部材の連結に関して規定されるファクターを変えることが要求される場合、小さい方のハウジング部材、本実施例では第２のハウジング部材の射出成形型を変更するのが好都合である。
【００１４】
本発明の有利な実施例によれば、同じ形状に形成された第１のロック手段は、第１のハウジング部材の開口とは反対側に向いた作用面を備えた捩じり回転方向に実質的に平行な平面を有する。該平行平面の両端には該平面に実質的に直角な面をロック手段に一体的に設ける。この二つの直角方向に延びる面の自由端は第１のハウジング部材の開口部に向う側にある。したがって、前記平行面とそれに直角な２つの面で内側に開いたU字形を形成する。該Ｕ字形状は、射出成形の技術的観点から、例えばＵ字の内部の空間部分がなくて材料が集積した塊状部が形成されるのを避けるためのものである。平行平面を保持しながら内部空間を三角形状にしてもよく、その場合該三角形状は同様に材料が集積するのを避けるためのものである。このように形成するには抜き型の追加を要するので勿論射出成形のコストは増大する。
【００１５】
上記のハウジングの第２のハウジング部材は、その第１のハウジング部材への連結部に少なくとも二つの異なる形状の第２のロック手段を有し、そのうち一方の第２のロック手段は第１のハウジング部材の第１のロック手段との連結において保持機能を担い、他方の第２のロック手段は第１のハウジング部材の第１のロック手段との連結において連結解除および連結の際の回転モーメントを規定する機能を担う。第１のハウジングの同一形状のロック手段は、少なくとも二つの異なる形状に形成された第２のロック手段とともに、一方において連結システムを調整可能とし、他方において有利で容易な製作を可能とすることが明らかであろう。第２のハウジング部材のロック手段を保持用と回転モーメント機能用に分けることにより、個々の機能を他の機能に直接に影響を及ぼすことなく変えることができる。
【００１６】
第２のハウジング部材の有利な実施形態によれば、該ハウジング部材のロック手段の第１の形状のものは、捩じり回転方向に平行で該ハウジング部材の開口側と反対側に向いて軸方向の保持力を受け軸方向の遊びを規定する作用面を有する平面と、該平面に直角でその自由端がハウジング開口部の方に向き半径方向の遊びを規定し連結の際に当接端面となる作用面を有する平面とを有する。該ロック手段は、横にしたL字状をなし、長い方の辺が捩じり方向に対して平行で、これに直角なL字の辺がハウジング部材の開口と反対の方に向いている。前記捩じり方向に平行に設けられてハウジング部材の開口側に向く作用面を有する平面は、第１のハウジングのロック手段の同様な平行平面の作用面に対応する。これらの作用面は互いに支え合い、両ハウジング部材が互いに当接する受け面となる。これに反し、前記平行平面に直角な平面はその作用面が当接端面として働き、該直角面で遮ることにより半径方向の遊びが規定される。
【００１７】
第２のハウジング部材の第２の形状のロック手段は、捩じり回転方向に対して鋭角をなして丸みを付けた頂部から延びる回転モーメント規定平面を有し、該規定平面の作用面はハウジング部材の開口とは反対側にあるように形成されるのがよい。捩じり方向に平行な平面に対する前記角度を選定することにより、連結解除の際の回転モーメントを連結する際の回転モーメントに関係なく設定することができる。連結の際の回転モーメントを規定する角度は、捩じり方向に平行な平面に対して０°から６０°の間、好ましくは５°から３０°の間にとする。連結解除の際の回転モーメントを規定する角度は０°から８０°の間、好ましくは１０°から６０°の間にとる。前記丸みを付けた頂部と第１のハウジング部材のロック手段の端面との間の軸方向距離が連結字の半径方向の保持力を決める。したがって、前記それぞれの角度を変更することにより、連結解除および連結の際に必要な力の設定変更が容易に行えることが分かる。
【００１８】
第２のハウジング部材の有利な実施形態によれば、第２のハウジング部材に設けられた両ロック手段は、ハウジング部材開口側に向いた側に該開口側に向いた円丘状部を有する。該円丘状部から両側に衝突面が第２のハウジング部材の両端側に向って傾斜している。これにより、両ハウジング部材を連結する際にそれらのロック手段が互いに突き当たった際には、第１のハウジング部材のロック手段は第２のハウジングのロック手段の円丘状部或は衝突面に当ってその面上を滑り降り、連結が可能となる。このことは、連結に当たって両ハウジング部材を互いに連結できる位置を特に探す必要がなく、両ハウジング部材は直接に単に付き合わせればよく、ロック部材は直接に互いに通り過ぎるか、或はロック部材が突き当たった場合でも傾斜している衝突面および円丘状部を滑り降りて両ハウジング部材の連結が可能となる。
【００１９】
上記およびその他の本発明の好ましい実施例の特徴が、請求項のほか、明細書及び図面から読み取れ、それらの特徴が個々にあるいは幾つかが組み合わされて本発明の実施形態に実施され、および他の分野で適用されて有利かつそれ自身保護され得る実施形態を具現することができ、それらに対して茲に保護を要請するものである。
【発明を実施するための最良の形態】
【００２０】
図１は、基本的に中空シリンダ状に形成されシリンダ状開口を有するポット形状の第２のハウジング部材１０を示す。前記開口部には第２のハウジング部材１０の段差縁１２を介して内周表面１１が形成されている。第２のハウジング部材１０の内径は開口部の領域で前記段差縁１２の部分の直径段差で前記開口部の内径に拡大されている。前記内周表面１１には２種類のロック爪受け１３、１４が規則的な間隔で配設されている。第２のハウジング部材１０の外殻表面には開口部に該第２のハウジング部材を取り扱うための掴み突起１５が設けられている。第２のハウジング部材は型による成形法、特に射出成形法により製作される。
【００２１】
図２は、同様に基本的にポット形状のシリンダ状で流入口１７を備えた第１のハウジング部材１６を示し、前記流入口１７は該第１のハウジング部材１６の一端部に正接するように形成された接続パイプ１８上に位置する。第１のハウジング部材１６の前記接続パイプと同じ側の一端には該第１のハウジング部材１６と同心に流出口１９が形成されており、該流出口１９には図示されていない出口接続パイプを気密に接続するためのクリップ爪２０が設けられている。第１のハウジング部材１６の前記流出口１９と反対側端部ではストッパー縁２１を介した直径段差でもって該ハウジング部材の前記流出口１９と反対側の開口２４部の外径が該開口２４と反対側に延びる外径よりも縮小されている。前記ストッパー縁２１から開口２４までは外殻外周面２２が形成され、そこには図１のロック爪受け１３、１４の配設間隔に対応する間隔でロック爪２３が配設されている。ハウジング部材１０と１６を連結する際には、第２のハウジング部材１０の端部を第１のハウジング部材１６のストッパー縁２１に押し当て、第２のハウジング部材１０と第１のハウジング部材１６を相対回転することにより、両ハウジング部材１０、１６はロック手段１３、１４、２３を介して取外し可能に連結される。
【００２２】
図３は、両ハウジング１０、１６が連結された状態におけるロック爪受け１３とロック爪２３の状況を示す。ロック爪２３は両ハウジング部材１０、１６を捩る方向に平行な作用面２５とそれに直角な面２７を介して前記作用面２５に接続する丸頭部２６を有する。ロック爪２３の形状は開いたU字に似ており、該形状は材料が嵩むのを避けるように選ばれたものである。他の形状も考えられるが、その際作用面２５に対して面２７が直角に直立していなければならない。第１のハウジング部材１６に設けられたロック爪２３は、そのU字形の開口が前記開口２４の方に向くように配置されねばならない。第２のハウジング部材１０の第１の形状のロック爪受け１３は同様に作用面２８を有し、該作用面２８は前記ロック爪２３の作用面２５と同様に両ハウジング１０、１６を捩じる方向に平行である。ロック爪受け１３には作用面２８とともにそれに直角な作用面２９が設けられ、該作用面２９はロック爪２３の面２７に対応して半径方向の当接端面をなす。さらに、ロック爪受け１３には前記作用面２８に対して傾斜する衝突面３０が形成され、該衝突面３０は円丘状部３１の頂点につながる。ロック爪受け１３の全体的形状は横にしたL字に似ており、作用面２８とL字の短辺は連結された第１のハウジング部材のロック爪の方を向いている。両ハウジング１０、１６が連結された状態においては、ロック爪２３および第１のロック爪受け１３は保持平面３２および半径方向終端面３３で互いに接触する。前記保持平面３２により軸方向の保持力と軸方向の遊びが決まり、半径方向終端面３３により半径方向遊びが決まる。第２のハウジング部材１６のストッパー縁２１からの保持平面３２の高さを変えることにより、例えば軸方向の保持力が増大し、軸方向の遊びが大きくなる。保持力を大きくする際にはロック爪受け１３の作用面２８を広くしてロック爪２３とトッパー受け部材１３の接触面を広くすることが重要である。
【００２３】
図４は第２のロック爪受け１４とロック爪２３の組合せを示す。同図において先の図に対応する構成には同じ符号が付してある。第２のロック爪受け１４は回転面に対して角度α２をなし連結の際の回転モーメントを決める作用面３４と、さらに回転面に対して角度α１をなし連結を解除する際の回転モーメントを決める作用面３５を有する。作用面３４と３５の交点とロック爪２３の作用面２５との間の高さの差aは半径方向における連結の保持力を決める。角度α１を変えることにより連結を解除する際の回転モーメントを変えることができ、該角度は０°から６０°、好ましくは１０°から６０°の範囲にする。角度α２によって連結する際の回転モーメントが決まり、該角度は０°から６０°、好ましくは５°から３０°の範囲にする。両ハウジング１０、１６を相対的に捩じって互いに連結する前に、先ず両ハウジング１０、１６を互いに嵌め合わせなければならない。その際、第２のハウジング部材１６のロック爪２３と第１のハウジング部材１０のロック爪受け１３、１４が重なり合うことなく両ハウジング部材１０、１６が当接縁２１で接触するまで軸方向に押し付けることができる。そして互いに相対的に捩じることにより差込み継ぎ手としての連結が行われる。連結に際してロック爪２３とロック爪受け１３、１４が直接に重なった場合には、ロック爪２３の丸頭部２６がロック爪受け１３、１４の円丘状部３１或は衝突面３０に当たる。衝突面３０がある角度だけ捩じり方向に対して傾斜していため、第１のハウジング部材１０が第２のハウジング部材１６のストッパー面２１に突き当たるまでストッパー爪２３が自動的にロック爪受け１３、１４上を滑り降りる。それに続く連結操作は先に述べたハウジング１０、１６の連結の場合と同様である。ロック爪受けの形状を異ならせて保持及び回転モーメント機能を分けることにより、一つの機能パラメータを他の機能パラメータに影響されることなく個別に設定することができることがわかる。このようにしてハウジングの差込み接合を要求条件に合致させることができ、簡単で安価なハウジングを製作することができる。
【図面の簡単な説明】
【００２４】
【図１】本発明の第１のハウジング部材の概略を示す斜視図である。
【図２】本発明の第２のハウジング部材の概略を示す斜視図である。
【図３】ロック爪とロック爪受けによる連結の第１の形態を示す図である。
【図４】ロック爪とロック爪受けによる連結の第２の形態を示す図である。
【符号の説明】
【００２５】
１０  第２のハウジング部材
１１  内周表面
１２  段差縁
１３、１４  ロック爪受け
１５  掴み突起
１６  第１のハウジング部材
１７  流入口
１８  接続パイプ
１９  流出口
２０  クリップ爪
２１  ストッパー縁
２２  外殻外周面
２３  ロック爪
２４  開口
２５、２８、２９、３４  作用面
２６  丸頭部
２７  面
３０  衝突面
３１  円丘状部
３２  保持平面
３３  半径方向終端面  
【図１】
2006153010.tif 000003
【図２】
2006153010.tif 000004
【図３】
2006153010.tif 000005
【図４】
2006153010.tif 000006